(57)【特許請求の範囲】
【請求項１】
手が挿入される手挿入部と、空気が吸気される吸気口と、前記吸気口からの空気を吸込み、高速空気流を発生する送風機と、前記送風機からの高速空気流を前記手挿入部に挿入された手に向かって噴出させるノズルとを箱体に備えた手乾燥装置において、
前記箱体の下面にオプションユニットが接続するようにされており、
前記箱体の両側面下部にそれぞれ奥行き方向に延びるように配設され、前記オプションユニットがスライドして奥行き方向に案内されることにより前記箱体との接続位置に達する一対のガイドレールと、
前記箱体に形成され、前記オプションユニットが前記箱体との接続位置に達したとき当該オプションユニットに形成された締着手段（ネジ穴）と位置決めされる被締着手段（ネジ穴）と、
が設けられている
ことを特徴とする手乾燥装置。
【請求項２】
請求項１に記載の手乾燥装置において、
前記ガイドレールに案内されて前記箱体に前記オプションユニットが接続されている
ことを特徴とする手乾燥装置。
【請求項３】
請求項１または２に記載の手乾燥装置において、
弾性を有する係合部であって、前記オプションユニットがスライドして奥行き方向に案内される際に、前記箱体に設けられ被係合部を乗り越え、前記オプションユニットが前記箱体から脱落することを防止する係合部が、前記オプションユニットに設けられている
ことを特徴とする手乾燥装置。
【請求項４】
請求項１乃至３のいずれか１項に記載の手乾燥装置において、
前記ガイドレールは奥行き方向に向かうにつれて前記箱体と前記ユニットとの距離がしだいに狭くなるように傾斜が設けられていることを特徴とする手乾燥装置。
【請求項５】
請求項１乃至４のいずれか１項に記載の手乾燥装置において、前記ユニットの上板上に前記ガイドレール奥の接続位置において前記箱体との接続部が密閉するようにパッキンが設けられ、該パッキンの上端部が面取りされていることを特徴とする手乾燥装置。
【請求項６】
請求項１乃至５のいずれか１項に記載の手乾燥装置において、
予め壁面に取り付けられた取付板と、
前記箱体の裏面に設けられ概略Ｌ型形状を成し前記取付板に設けられた収納部に上方から挿入されて掛かる引掛け部と、
前記引掛け部の下方に設けられ、前記取付板に設けられた固定片に係合して前記箱体の上方への移動を抑制する取付金具と
をさらに有している
ことを特徴とする手乾燥装置。
【発明の詳細な説明】
【０００１】
【発明の属する技術分野】
本発明は、手乾燥装置に係り、詳しくは、洗浄後の濡れた手を乾燥させるための手乾燥装置に関するものである。
【０００２】
【従来の技術】
従来、洗浄した後の濡れた手を乾燥させる手挿入部を有する手乾燥装置については、例えば、特開平１０−７５９１５号公報に掲載された技術が知られている。以下に、この従来の手乾燥装置について、図面を参照して説明する。
図１２は上記特開平１０−７５９１５号公報に掲載された手挿入部を有する従来の手乾燥装置の構成を示す概略側面図である。
【０００３】
図１２において、１０１は手乾燥装置の本体である箱体であり、１０２はヒータを内蔵し、手挿入部１０３に配置されたノズル１０４ａ、１０４ｂより噴出される高圧空気流を昇温するオプションユニットである。
この従来の手乾燥装置は、オプションユニット１０２が床面に置かれ、そのオプションユニット１０２上方に手乾燥装置の本体１０１が配置され、オプションユニット１０２により本体１０１が支持されて固定される形態となっている。
【０００４】
上記した従来の手乾燥装置は、オプションユニット１０２を直に床の上に配置し、このオプションユニット１０２により手乾燥装置の本体１０１を支持して固定したものであるが、従来の手乾燥装置には、上記床の上に直接配置するタイプのものだけでなく、壁掛けタイプのものも広く知られている。以下に、具体的に図面を用いて説明する。
【０００５】
図１３は壁掛けタイプの従来における手乾燥装置の構成を示す概略側面図、図１４は図１３に示す手乾燥装置の本体を壁に取り付ける方法を説明する図である。この従来の手乾燥装置は、図１３、１４に示すように、本体２０１を壁面に固定する際、まず、取付板２０２を壁面にネジ固定した後、本体２０１の引掛け部２０３を取付板２０２の収納部２０４に引っ掛ける。
【０００６】
そして、この従来の手乾燥装置は、本体２０１の前パネル２０５を外した後、本体２０１内部より本体２０１を取付板２０２にネジ２０６でネジ固定する形となっている。この従来の手乾燥装置は、本体２０１の手挿入部２１１内に濡れた手を挿入すると、手挿入部２１１の壁面に設けられたノズル２１２ａ、２１２ｂから高速の空気を吹き出して濡れた手に当て、手に付着している水滴を吹き飛ばして短時間で乾燥させることができるという利点を有する。
【０００７】
【発明が解決しようとする課題】
しかしながら、上記したような図１３、１４に示す従来の手乾燥装置は、本体２０１を壁面に施工した後、例えばヒータを内蔵し、高速空気流を昇温するオプションユニット等を追加取り付けしようとすると、一度本体２０１を取り外さなければならず、施工性が悪いという問題があった。また、本体２０１を取付板２０２に取り付けようとした時は、前パネル２０５を外さなければならず、施工性が悪いという問題があった。
【０００８】
そこで、本発明は、オプションユニットを本体に取り付ける際、本体を取り外すことなく、オプションユニットを容易に本体に取り付けることができるほか、前パネルを外すことなく、かつ工具を使わないで本体を取付板に取り付けることができる手乾燥装置を提供することを目的とする。
【０００９】
【課題を解決するための手段】
本発明による手乾燥装置は、手が挿入される手挿入部と、空気が吸気される吸気口と、前記吸気口からの空気を吸込み、高速空気流を発生する送風機と、前記送風機からの高速空気流を前記手挿入部に挿入された手に向かって噴出させるノズルとを箱体に備えた手乾燥装置において、前記箱体の下面にオプションユニットが接続するようにされており、
前記箱体の両側面下部にそれぞれ奥行き方向に延びるように配設され、前記オプションユニットがスライドして奥行き方向に案内されることにより前記箱体との接続位置に達する一対のガイドレールと、前記箱体に形成され、前記オプションユニットが前記箱体との接続位置に達したとき当該オプションユニットに形成された締着手段（ネジ穴）と位置決めされる被締着手段（ネジ穴）とが設けられている。
【００１０】
本発明による手乾燥装置は、前記ガイドレールに案内されて前記箱体に前記オプションユニットが接続されている。
【００１１】
本発明による手乾燥装置は、弾性を有する係合部であって、前記オプションユニットがスライドして奥行き方向に案内される際に、前記箱体に設けられ被係合部を乗り越え、前記オプションユニットが前記箱体から脱落することを防止する係合部が、前記オプションユニットに設けられている。
【００１２】
本発明による手乾燥装置は、前記ガイドレールは奥行き方向に向かうにつれて前記箱体と前記ユニットとの距離がしだいに狭くなるように傾斜が設けられている。
【００１３】
本発明による手乾燥装置は、前記ユニットの上板上に前記ガイドレール奥の接続位置において前記箱体との接続部が密閉するようにパッキンが設けられ、該パッキンの上端部が面取りされている。
【００１４】
本発明による手乾燥装置は、予め壁面に取り付けられた取付板と、前記箱体の裏面に設けられ概略Ｌ型形状を成し前記取付板に設けられた収納部に上方から挿入されて掛かる引掛け部と、前記引掛け部の下方に設けられ、前記取付板に設けられた固定片に係合して前記箱体の上方への移動を抑制する取付金具とをさらに有している。
【００１５】
【発明の実施の形態】
以下に、本発明における実施の形態を、図面を参照して説明をする。
実施の形態１.
図１は本発明に係る実施の形態１における手乾燥装置の構成を示す断面図である。図１において、１は手乾燥装置の外郭をなす箱体であり、２はこの箱体１の正面および側面を開口して形成され、かつ手を挿抜自在にできるように設けられた手挿入部であり、２ａは手挿入部２の壁面である。手挿入部２は、手を挿入し易くするために、下部方向へ傾斜を有して略Ｕ字状を呈するように箱体１に形成されている。
【００１６】
４は手挿入部２の底部に設けられた排水口であり、５は排水口４に接続するように排水口４下部に配置された排水管である。１１は排水口４から排水管５を通ってきたドレン水を溜めるドレンタンクであり、１８ａ、１８ｂは手挿入部２の入口近傍に設けられ、入口の対向する壁面２ａに設けられた高速の空気流を吹出すノズルである。
【００１７】
ノズル１８ａ、１８ｂは、手挿入部２に挿入された手（図示せず）を擦り合せることなく、手に付着された水滴を手の表裏から排除できるように、手の甲側と掌側の双方に高速空気流の風を同時に当てるように構成されている。ノズル１８ａ、１８ｂは、手から吹き飛ばされた水滴を上方ではなく、下方へ吹き飛ばすように、手挿入部２の入口から奥への圧力勾配を形成するような傾斜を有するように壁面２ａに設けられている。
【００１８】
手挿入部２の壁面２ａには、シリコン系もしくはフッ素系等の撥水性コ−ティングを施してもよいし、酸化チタン等の親水性を有するコ−ティングを施してもよいし、抗菌剤を含浸させる処理を施してもよい。これらの処理を施せば、手挿入部２の壁面２ａにおける汚れの付着を低減することができるとともに、菌の繁殖を低減することができる。
【００１９】
撥水性コーティングによれば、汚れを付着し難くでき、また、親水性コーティングによれば、付着した汚れを落とし易くできる。例えば、親水性コーティングのうち、酸化チタンで処理を施した場合は、紫外線を当てると有機物を分解できるので、汚れの付着を抑制して菌の繁殖を低減することができる。
【００２０】
３０は高圧空気を発生させる遠心式などの送風機であり、手挿入部２の下方のチャンバー４０内に設けられている。チャンバー４０は、上面に送風機３０から排出される高速空気を排出できる排出口４０ａを有している。また、チャンバー４０は、下面に吸気口４１を有しており、この吸気口４１から送風機４０へ通じる吸気風路を構成している。
【００２１】
送風機３０をチャンバー４０内に固定する部分は、例えば、ばね材やゴム材等の部品からなる防振のための防振部材を介して固定されている。また、送風機３０をチャンバー４０内に固定する部分は、フローティング機能を持たせて送風機３０の振動を周囲に伝え難くして騒音が大きくならないように構成している。吸気口４１には、空気中の埃などを除去する着脱可能なフィルター４２が設けられている。
【００２２】
３２は吸気風路の排出口４０ａに接続された排気ダクトであり、この排気ダクト３２は、手挿入部２に設けられたノズル１８ａ、１８ｂと接続されている。１２ａ、１２ｂは手を検知する手検知センサーであり、例えば、手検知センサー１２ａの方を発光素子で構成し、手検知センサー１２ｂの方を受光素子で構成してもよい。また、手検知センサー１２ｂの方を発光素子で構成し、手検知センサー１２ａの方を受光素子で構成してもよい。
【００２３】
１３は手挿入部２や挿入される手を照明する照明用発光素子であり、この照明用発光素子１３は、手検知センサー１２ａ、１２ｂが配置されている配線基板と同一の配線基板に配置されている。なお、照明用発光素子１３は、手検知センサー１２ａ、１２ｂが配置されている配線基板とは異なる配線基板に配置して構成してもよい。
【００２４】
手挿入部２内に手が手首付近まで挿入されると、手検知センサー１２ａ、１２ｂが手を検知し、この検知信号を基に送風機３０が作動する。送風機３０が作動されると、空気が吸気口４１より吸気風路を介して送風機３０に吸込まれる。そして、送風機３０に吸込まれた空気は、送風機３０から排出されて排気ダクト３２を経由して、ノズル１８ａ、１８ｂから高速気流となって手挿入部２内に噴出される。
【００２５】
このように、送風機３０が作動されると、空気が吸気口４１より送風機３０に吸込まれ高圧空気となる吸気風路と、送風機３０から排出されて排気ダクト３２を経由して、ノズル１８ａ、１８ｂより高速空気が噴出される排気風路とからなる風路が形成される。
【００２６】
次に、手乾燥装置の箱体１にオプションユニットを取付ける取付構造について、図面を用いて説明する。
図２は図１に示す手乾燥装置とオプションユニットを示す斜視図、図３は図１に示す手乾燥装置の箱体にオプションユニットがネジ止めにより取付けられる直前の状態を示す斜視拡大図である。
【００２７】
図２、３において、図１と同一符号は同一又は相当部分を示し、２０は箱体１の底面近傍の箱体１の対向する側部に設けられたオプションユニット取り付け用のレールである。２１はレール２０前端の上部の箱体１部分に設けられたネジ穴（被締着手段）であり、５０はオプションユニットである。
【００２８】
このオプションユニット５０には、ヒータを内蔵して高速空気流を昇温させたりする機能を持たせてもよいし、芳香剤を装着して高速空気流を良い香りにしたりする機能を持たせてもよし、空気清浄機能を内蔵して高速空気流を清浄化したりする機能を持たせてもよい。
【００２９】
５１はオプションユニット５０の上板端部に設けられ、かつ箱体１のレール２０に挿入されるガイドであり、５２はガイド５１の前端上部に突出するように設けられた取り付け片である。５３は取り付け片５２に設けられたネジ穴（被締着手段）であり、５４は箱体１の吸気口４１に対向するようにオプションユニット５０の上板に設けられた吹出し口である。
【００３０】
箱体１の吸気口４１にオプションユニット５０の吹出し口５４が合せられることにより、ヒータが内蔵されたオプションユニット５０では、高速空気流を昇温させることができる。同様に、芳香剤が装着されたオプションユニット５０では、高速空気流を良い香りにすることができる。また、空気清浄機能が内蔵されたオプションユニット５０では、高速空気流を清浄化することができる。６１はネジ穴２１、５３を通してオプションユニット５０を箱体１に固定するためのネジである。
【００３１】
この実施の形態によれば、まず、箱体１のレール２０にオプションユニット５０のガイド５１を前面より、取り付け片５２がレール２０前端上部の箱体１部分に当接するまで挿入する。これにより、オプションユニット５０は、箱体１に支持されるとともに、レール２０前端上部の箱体１部分に設けられたネジ穴（被締着手段）２１と、ガイド前端の取り付け片５２に設けられたネジ穴（締着手段）５３とが合せられる。
【００３２】
そして、レール２０前端上部の箱体１部分に設けられたネジ穴２１と、ガイド前端の取り付け片５２に設けられたネジ穴５３とを、ネジ６１によりネジ固定することにより、オプションユニット５０を箱体１に固定する。以上のように、本実施の形態では、箱体１に設けられたレール２０にオプションユニット５０のガイド５１を挿入するように手乾燥装置を構成したので、オプションユニット５０を箱体１に取り付ける際、箱体１を取り外すことなく、オプションユニット５０を箱体１に容易に取り付け支持することができる。
【００３３】
また、ネジ穴２１、５３を通してオプションユニット５０と箱体１を固定したネジ６１が仮にネジ穴２１、５３から外れたとしても、オプションユニット５０は、ガイド５１が箱体１のレール２０内に挿入されて支持されるため、オプションユニット５０が箱体１から落下することがなく、安全性を確保することができる。
【００３４】
実施の形態２.
図４は本発明に係る実施の形態２におけるオプションユニットが設けられた手乾燥装置を示す斜視図である。図４は、手乾燥装置の箱体にオプションユニットが取り付けられる前の状態を示しており、箱体は全体ではなく、取り付け状態が分かる部分のみを示している。図５は図４に示す手乾燥装置の箱体にオプションユニットを取り付ける状態を示す図である。
【００３５】
図４、５において、図２、３と同一符号は同一又は相当部分を示し、２４は箱体１のレール２０の前端上部に設けられたリブ形状の突起であり、５５はオプションユニット５０のガイド５１の前端上部に突出するようにネジ止め固定されており、かつバネ鋼等にて形成された弾性を有する取り付け片５５である。この取り付け片５５は、ガイド５１をレール２０に挿入したとき、レール２０の前端上部に設けられたリブ形状の突起２４を乗り越えられるように弾性を有している。
【００３６】
この実施の形態によれば、箱体１のレール２０にオプションユニット５０の ガイド５１を前面より、弾性を有する取り付け片５５がレール２０前端上部の突起２４を乗り越えるまで挿入する。これにより、オプションユニット５０は、取り付け片５５が突起２４を乗り越えてレール２０内に収納され、この突起２４の障壁により取り付け片２４をレール２０内から引出し難くすることができる。このため、さらに工具を使ってオプションユニット５０を箱体１にネジ止め固定することなく、オプションユニット５０を箱体１に容易に取り付け固定することができる。
【００３７】
また、オプションユニット５０を箱体１から取り外すときは、レール２０内に収納され、ガイド５１にネジ止め固定された取り付け片５５を、工具を使ってネジ６２を外して取り外すことにより、ガイド５１をレール２０から容易に抜き取ることができる。このため、一端、突起２４を乗り越えて取り付け片５５をレール２０内に収納すれば、工具がないと取り付け片５５をガイド５１から取り外すことができないので、オプションユニット５０を盗難等から保護することができる。
【００３８】
実施の形態３.
図６は本発明に係る実施の形態３におけるオプションユニットが設けられた手乾燥装置を示す斜視図である。図６は、手乾燥装置の箱体にオプションユニットが取り付けられる前の状態を示しており、箱体は全体ではなく、取り付け状態が分かる部分のみを示している。図７、８は図６に示す手乾燥装置の箱体にオプションユニットを取り付ける状態を示す図である。
【００３９】
図６〜８において、図２、３と同一符号は同一又は相当部分を示し、２６はレール２０の後端部分が前方から後ろにかけて上昇するように傾斜した傾斜部である。この傾斜部２６は、ガイド５１がレール２０内に挿入されると、ガイド５１の後端部分を持ち上げてガイド５１を傾かせる。２７はオプションユニット５０を箱体１に取付けて、箱体１の吸込み口４１とオプションユニット５０の吹出し口５４が合せられたときに、吹出し口５４から吸込み口４１に流れる気流が漏れないように気密性を保持するためのゴムなどのパッキンである。
【００４０】
この実施の形態によれば、まず、箱体１のレール２０にオプションユニット５０の ガイド５１を前面より、取り付け片５２がレール２０前端上部の箱体１部分に当接するまで挿入する。このとき、ガイド５１の後端部分がレール２０の傾斜部２６により持ち上げられ、ガイド５１の前端部分が下方に傾斜して、取り付け片５２のネジ穴５３がレール２０前端上部の箱体１部分に設けられたネジ穴２１から下方にずれる。
【００４１】
箱体１の下面に対して後端部分が持ち上げられるようにオプションユニット５０が傾斜して配置されるため、オプションユニット５０のパッキン２７は、箱体１により完全に均一につぶされず、前端部分よりも後端部分の方が強く箱体１により押しつぶされる。レール２０の後端部分に傾斜部２６を設けて構成しているので、ガイド５１を単に水平に移動させてレール２０に収納する実施の形態１よりも、ガイド５１収納時の箱体１によるパッキン２７へのこすれ力を低減することができる。このため、パッキン２７の剥がれを抑えることができる。
【００４２】
次に、ガイド５１の前端部分を持ち上げて、取り付け片５２のネジ穴５３をレール２０前端上部の箱体１部分に設けられたネジ穴２１に合せた後、ネジ６１によりネジ穴２１、５３を通してネジ固定することにより、オプションユニット５０を箱体１に固定する。
【００４３】
これにより、ガイド５１は、前端部分が後端部分と水平に保たれてネジ止め固定されるので、下方に下がっていた前端部分が持ち上げられてオプションユニット５０が水平に保たれる。そして、オプションユニット５０のパッキン２７は、箱体１により均等に、かつ強く押しつぶされるので、本体１の吸込み口４１とオプションユニット５０の吹出し口５４の気密を良好に保持することができる。
【００４４】
なお、上記実施の形態３では、オプションユニット５０の吹出し口５４周囲の上板上に端部が平坦なパッキン２７を設けて構成したが、図９に示すように、例えば、端部が曲線形状のゴムなどのパッキン２８を設けて構成してもよい。この場合、平坦なパッキン２７を用いる場合よりも、ガイド５１をレール２０に収納するとき、パッキン２８の箱体１による剥がれを抑えることができる。図９において、２８ａは中空部分であり、２８ｂはフランジである。
【００４５】
実施の形態４.
図１０は本発明に係る実施の形態４における手乾燥装置を示す概略側面図である。図１０は、手乾燥装置の箱体を取付板に取り付ける状態が分かる部分が示されている。図１１は図１０に示す手乾燥装置の箱体を取付板に取り付ける状態を示す図である。図１０、１１において、７０は箱体１の背面にネジ７１により固定されたＬ型形状の取付金具であり、７２は例えばネジにより壁面にネジ止め固定された取付板である。
【００４６】
７３は取付板７２に固定され、取付板７２から斜め下方に向かって設けられた弾性を有する固定片であり、７４は取付板７２に固定された収納部７５に引っかける箱体１に取り付けられた引掛け部である。箱体１の引掛け部７４を取付板７２の収納部７５に引っ掛けるとき、箱体１は、下方にスライドされる。これにより、箱体１の取付金具７０は、取付板７２の固定片７３を乗り越えて固定片７３に当接される。
【００４７】
従って、箱体１は、下方に動かして取付板７２から外そうとしても、箱体１の引掛け部７４が取付板７２の収納部７５に当接されるので、下方に動かず外れないようにできる。箱体１は、上方に動かして取付板７２から外そうとしても、箱体１の取付金具７１が取付板７２の固定片７３に当接されるので、上方に動かず外れないようにできる。
【００４８】
また、箱体１は、前後に動かして取付板７２から外そうとしても、箱体１の引掛け部７４が取付板７２の収納部７５に収められるため、前後に動かず外れないようにできる。以上のように、本実施の形態によれば、箱体１を取付板７２に工具無しで容易に取り付けることができるとともに、箱体１を取付板７２に取り付けた後、上方や下方、あるいは前後に動かして外そうとしても、外れないようにできる。
【００４９】
箱体１を取付板７２から外そうとする場合は、前パネル７６を開けて、箱体１にネジ止め固定している取付金具７０を箱体１から外した後、箱体１を上方に持ち上げることにより、箱体１を取付板７２から取り外すことができる。このように、箱体１を取付板７２から外すときは、工具を使わないと外せないので、盗難防止の点で利点がある。
【００５０】
【発明の効果】
本発明による手乾燥装置によれば、箱体の底面近傍の箱体の対向する側部にユニット取り付け用のガイド挿入部を設けて構成することにより、例えば、さらに箱体に設けられたガイド挿入部にユニットのガイドを挿入するように構成することで、ユニットを箱体に取り付ける際、箱体を取り外すことなく、ユニットを箱体に容易に取り付けることができる。
【００５１】
本発明による手乾燥装置によれば、更に、ガイド挿入部に挿入されるガイドを有するユニットを設けて構成することにより、ユニットを箱体に取り付ける際、箱体を取り外すことなく、ユニットを箱体に容易に取り付けることができる。
【００５２】
本発明による手乾燥装置によれば、ガイド挿入部の前端にリブ形状の突起を設け、ガイドの前端に弾性を有する取り付け片を設けて構成することにより、取り付け片を、突起を乗り越えてガイド挿入部に収納させて、この突起の障壁により取り付け片をガイド挿入部から引出し難くすることができるため、工具を使わないでユニットを箱体に容易に取り付け固定することができる。
【００５３】
本発明による手乾燥装置によれば、ガイド挿入部の後端に傾斜部を設けて構成することにより、例えば、ユニット上にパッキンを設けた場合、ガイドを単に水平に移動させてガイド挿入部に収納するよりも、収納時の箱体によるパッキンへのこすれ力を低減することができるので、パッキンの剥がれを抑えることができる。
【００５４】
本発明による手乾燥装置によれば、ユニットの上板上に端部が曲線形状のパッキンを設けて構成することにより、平坦なパッキンを用いる場合よりも、ガイドをガイド挿入部に収納するとき、パッキンの箱体による剥がれを抑えることができる。
【００５５】
本発明による手乾燥装置によれば、箱体背面にＬ型形状の取付金具を設け、箱体取付板に下方に向かって設けられた取付金具の固定片を設けて構成することにより、箱体を上方に動かそうとしても、箱体の取付金具が取付板の固定片に当接されるので、上方に動かないようにできる。
【図面の簡単な説明】
【図１】  本発明に係る実施の形態１における手乾燥装置の構成を示す断面図である。
【図２】  図１に示す手乾燥装置とオプションユニットを示す斜視図である。
【図３】  図１に示す手乾燥装置の箱体にオプションユニットが取付けられる直前の状態を示す斜視拡大図である。
【図４】  本発明に係る実施の形態２におけるオプションユニットが設けられた手乾燥装置を示す斜視図である。
【図５】  図４に示す手乾燥装置の箱体にオプションユニットを取り付ける状態を示す図である。
【図６】  本発明に係る実施の形態３におけるオプションユニットが設けられた手乾燥装置を示す斜視図である。
【図７】  図６に示す手乾燥装置の箱体にオプションユニットを取り付ける状態を示す図である。
【図８】  図６に示す手乾燥装置の箱体にオプションユニットを取り付ける状態を示す図である。
【図９】  本発明に適用できるパッキンの断面図である。
【図１０】  本発明に係る実施の形態４における手乾燥装置を示す概略側面図である。
【図１１】  図１０に示す手乾燥装置の箱体を取付板に取り付ける状態を示す図である。
【図１２】  特開平１０−７５９１５号公報に掲載された手挿入部を有する従来の手乾燥装置の構成を示す概略側面図である。
【図１３】  壁掛けタイプの従来における手乾燥装置の構成を示す概略側面図である。
【図１４】  図１２に示す手乾燥装置の本体を壁に取り付ける方法を説明する図である。
【符号の説明】
１  箱体、２  手挿入部、２ａ  壁面、４  排水口、５  配水管、１１  ドレンタンク、１２ａ、１２ｂ  手検知センサ、１３  照明用発光素子、１８ａ、１８ｂ  ノズル、２０  レール、２１、５３  ネジ穴、２６  傾斜部、２７  パッキン、３０  送風機、３２  排気ダクト、４０  チャンバー、４０ａ  排出口、４１  吸気口、４２  フィルター、５０  オプションユニット、５１  ガイド、５２  取り付け片、５４  吹出し口、６１、７１  ネジ、７０  取付金具、７２取付板、７３  固定片、７４  引掛け部、７５  収納部、７６  前パネル。
【図１】
0003839311.tif 000002
【図２】
0003839311.tif 000003
【図３】
0003839311.tif 000004
【図４】
0003839311.tif 000005
【図５】
0003839311.tif 000006
【図６】
0003839311.tif 000007
【図７】
0003839311.tif 000008
【図８】
0003839311.tif 000009
【図９】
0003839311.tif 000010
【図１０】
0003839311.tif 000011
【図１１】
0003839311.tif 000012
【図１２】
0003839311.tif 000013
【図１３】
0003839311.tif 000014
【図１４】
0003839311.tif 000015